(57)【要約】 【課題】バンドを締めさせることにより、身体や生命にかかわる大きな事故を未然に防ぐことができること。【解決手段】キー使用状態送信装置Ａと、これに無線信号を介して関連付けられたバンドの使用状態報知装置Ｂとから成り、キー使用状態送信装置Ａは、キーの摘み部分又はキーシリンダーのいずれかに固定されかつキー使用状態の無線信号を送信可能な送信装置本体を備え、バンドの使用状態報知装置Ｂは、無線信号を受信する無線機能部と、ヘルメットのバンドをしたか否かの信号を検出する検出部と、この検出部からの検出信号と無線機能部で受信した受信信号とをバンドの締め忘れの判定材料とする判定手段と、この判定手段が締め忘れと判定した時に報知信号を出力する報知手段とを備えている。【選択図】図１
2008038279.tif 000002
【特許請求の範囲】
【請求項１】
キーシリンダーとキーを含むキー使用状態送信装置Ａと、これに無線信号を介して関連付けられたバンドの使用状態報知装置Ｂとから成り、前記キー使用状態送信装置Ａは、キーの摘み部分に固定されかつキー使用状態の無線信号を送信可能な送信装置本体を備え、一方、前記バンドの使用状態報知装置Ｂは、前記無線信号を受信する無線機能部と、ヘルメットのバンドをしたか否かの信号を検出する検出部と、この検出部からの検出信号と前記無線機能部で受信した受信信号とを前記バンドの締め忘れの判定材料とする判定手段と、この判定手段が締め忘れと判定した時に報知信号を出力する報知手段とを備えていることを特徴とするバンドの締め忘れの防止装置。
【請求項２】
請求項１に於いて、検出部は、ヘルメット本体に取り付けられた帯紐自体または該帯紐に一体的に装着された紐状部材のいずれかであり、かつ、該帯紐の形態変化を検出する信号検出センサーであることを特徴とするバンドの締め忘れの防止装置。
【請求項３】
請求項１に於いて、無線機能部は、判定手段２２が締め忘れと判定した時に、管理機器Ｃに対して、識別コードを含む無線信号を送信する機能を有していることを特徴とするバンドの締め忘れの防止装置。
【請求項４】
請求項１に於いて、キーシリンダーは、自転車、二輪車、自動車、工事現場に関する管理場所に設置された多数のキーシリンダーのいずれかであることを特徴とするバンドの締め忘れの防止装置。
【請求項５】
請求項１に於いて、バンドの使用状態報知装置Ｂは、着用が義務付けられている保安用ヘルメットと、該ヘルメットに固定された報知装置本体とから成り、報知装置本体１６は、ヘルメット本体１５ａの外周壁の締め付けバンド１５ｂに臨む部位に固定される小ケース１６ａと、この小ケース１６ａから出された接続線１６ｂと、この接続線１６ｂと電気的に接続しかつ締め付けバンド１５ｂの外面に長さ方向に沿って一体的に固定された可撓性の紐状部材１６ｃとを有していることを特徴とするバンドの締め忘れの防止装置。
【請求項６】
キーシリンダーとキーを含むキー使用状態送信装置Ａと、これに無線信号を介して関連付けられたバンドの使用状態報知装置Ｂとから成り、前記キー使用状態送信装置Ａは、前記キーシリンダーに固定されかつキー使用状態の無線信号を送信可能な送信装置本体を備え、一方、前記バンドの使用状態報知装置Ｂは、前記無線信号を受信する無線機能部と、ヘルメットのバンドをしたか否かの信号を検出する検出部と、この検出部からの検出信号と前記無線機能部で受信した受信信号とを前記バンドの締め忘れの判定材料とする判定手段と、この判定手段が締め忘れと判定した時に報知信号を出力する報知手段とを備えていることを特徴とするバンドの締め忘れの防止装置。
【発明の詳細な説明】
【技術分野】
【０００１】
本発明は、保安用ヘルメットのバンドの締め忘れの防止装置に関する。
【背景技術】
【０００２】
特許文献１には、「外部環境を検出する手段からの信号により作動するとともに、周波数調整手段を備えた可聴周波発振手段と、周波数調整手段からの信号により作動する発音手段と、作動電源とを収容する筐体、及び該筐体を少なくとも一点をヘルメット に接触させてヘルメットに固定する固定手段を備えてなるヘルメット装着用警報装置」が記載されているが、特許文献１は、騒音によるマスキング効果を受けることなく、警報信号を確実に作業者に伝達することができるようにするものであり、保安用ヘルメットのバンドの締め忘れの防止装置に関するものではない。
【０００３】
また、特許文献２には、「センサー、判定手段、警報発生装置、バンドの掛止または掛け外しを検出する検出部等を構成要件とする、ファスナーの締め忘れの防止装置」が記載されているが、この特許文献２も特許文献１と同様に保安用ヘルメットのバンドの締め忘れの防止装置に関するものではない。
【特許文献１】特開平７−２３９９８２号公報
【特許文献２】特開平８−３８２１７号公報
【発明の開示】
【発明が解決しようとする課題】
【０００４】
保安用ヘルメットのバンドの締め忘れていると、事故の際、身体や生命に甚大なる影響を及ぼす。そこで、本発明の所期の目的は、二輪車に乗る場合や工事現場で仕事をする場合に於いて、極力、保安用ヘルメットのバンドを締めるように促すことである。第２の目的は、キーとシリンダーを構成要件とすることにより、バンドの締め忘れを、確実に防止することである。
【課題を解決するための手段】
【０００５】
本発明のバンドの締め忘れの防止装置は、キーシリンダーとキーを含むキー使用状態送信装置Ａと、これに無線信号を介して関連付けられたバンドの使用状態報知装置Ｂとから成り、前記キー使用状態送信装置Ａは、キーの摘み部分に固定されかつキー使用状態の無線信号を送信可能な送信装置本体を備え、一方、前記バンドの使用状態報知装置Ｂは、前記無線信号を受信する無線機能部と、ヘルメットのバンドをしたか否かの信号を検出する検出部と、この検出部からの検出信号と前記無線機能部で受信した受信信号とを前記バンドの締め忘れの判定材料とする判定手段と、この判定手段が締め忘れと判定した時に報知信号を出力する報知手段とを備えていることを特徴とする。
【０００６】
また、本発明のバンドの締め忘れの防止装置は、キーシリンダーとキーを含むキー使用状態送信装置Ａと、これに無線信号を介して関連付けられたバンドの使用状態報知装置Ｂとから成り、前記キー使用状態送信装置Ａは、前記キーシリンダーに固定されかつキー使用状態の無線信号を送信可能な送信装置本体を備え、一方、前記バンドの使用状態報知装置Ｂは、前記無線信号を受信する無線機能部と、ヘルメットのバンドをしたか否かの信号を検出する検出部と、この検出部からの検出信号と前記無線機能部で受信した受信信号とを前記バンドの締め忘れの判定材料とする判定手段と、この判定手段が締め忘れと判定した時に報知信号を出力する報知手段とを備えていることを特徴とする。
【発明の効果】
【０００７】
（１）人が、例えば二輪車に乗る場合や工事現場で仕事をする場合に於いて、装着必須のヘルメットの報知装置により、極力、ヘルメットのバンドを締めるように促すことができる。したがって、バンドを締めさせることにより、身体や生命にかかわる大きな事故を未然に防ぐことができる。
（２）二輪車に乗る場合は、車のキーが必要であるから、キーとシリンダーを構成要件とすることにより、バンドの締め忘れを、確実に防止することができる。また、保安用ヘルメット及びキーは自由に持ち歩くことができるから、保安用ヘルメットとキーとシリンダーをワンセットの構成要件とすることにより、本発明の実施化を容易に図ることができる。
（３）管理者は作業員の安全管理を確実に実施することができる。特にバンドの使用状態報知装置Ｂに無線信号を介して関連付けられた管理機器Ｃが加味されている実施例の場合には、安全管理に従事している人は、本発明のバンドの締め忘れの防止装置Ｘを活用し、例えばバンドを締めない作業員に対して、バンドを締めるように促すことができる。
（４）さらに、報知装置本体が実施例の外観構成である場合には、保安用ヘルメットに報知装置本体を簡単に取り付けることができる。
【発明を実施するための最良の形態】
【０００８】
以下、図１乃至図６に示す本発明を実施するための最良の形態（第１実施例）により説明する。
【０００９】
（１）発明の実施の環境
図１は、キーシリンダーとキーを含むキー使用状態送信装置Ａと、これに無線信号を介して関連付けられたバンドの使用状態報知装置Ｂとから成り、前記キー使用状態送信装置Ａは、キーの摘み部分に固定されかつキー使用状態の無線信号を送信可能な送信装置本体を備え、一方、前記バンドの使用状態報知装置Ｂは、前記無線信号を受信する無線機能部と、バンドをしたか否かの信号を検出する検出部と、この検出部からの検出信号と前記無線機能部で受信した受信信号とを前記バンドの締め忘れの判定材料とする判定手段と、この判定手段が締め忘れと判定した時に報知信号を出力する報知手段とを備えているである。
【００１０】
図１に於いて、Ｘはバンドの締め忘れの防止装置（以下、「防止装置」という。）で、この防止装置Ｘは、キーシリンダーとキーを含むキー使用状態送信装置Ａと、これに無線信号を介して関連付けられたバンドの使用状態報知装置Ｂとから成り、さらに、バンドの使用状態報知装置Ｂに無線信号を介して関連付けられた管理機器Ｃが加味されている。
【００１１】
（２）キー使用状態送信装置Ａ
まず、キー使用状態送信装置Ａは、車のキー１と、このキー１に固定的に設けられた送信装置本体２と、前記キー１を差し込むことができる車のイグニッションキーシリンダー３とから成る。自転車を含む車のキー１は、摘み部分１ａとブレート部分１ｂを有し、前記摘み部分１ａの内端部の外面に前記送信装置本体２が不番のケースを介して横方向に固定されている。
【００１２】
また、イグニッションキーシリンダー３は鍵穴を有する内筒３ａと、この内筒３ａを包む外筒３ｂとから成るが、本実施例では、前記外筒３ｂの上面に凹所４を形成し、該凹所４に磁性体５を固定的に嵌め込んでいる。
【００１３】
次に、送信装置本体２は、検出手段１０と、コントローラ１１と、送信機能部１２と、電源１３を備えている。しかして、前記検出手段１０は、例えば磁気感応センサーが用いられている。したがって、車のキー１をイグニッションキーシリンダー３の鍵穴に差し込むと、或いは鍵穴に差し込んでエンジン点火準備位置へとキー１を回転操作すると、検出手段１０は磁性体５に接近ないし対面するので、「キーを使用している旨の信号（キー使用信号）」を検出することができる。
【００１４】
また、コントローラ１１は、送信装置本体２に色々な機能を付与するために設けられている。例えばコントローラ１１は、検出手段１０からキー使用信号を取得すると、バンドの使用状態報知装置Ｂ側の判定材料となる識別コード等の情報を無線機能部２０に与える。送信機能部１２は報知装置Ｂ側の無線機能部２０が解読することができるように信号を生成して、ヘルメット、バンド等に関する識別コードを含む無線信号を送信する（送信機能）。
【００１５】
（３）バンドの使用状態報知装置Ｂ
図３で示すように、バンドの使用状態報知装置Ｂは、例えば二輪車に乗る際に着用が義務付けられている保安用ヘルメット１５と、該ヘルメットに設けられた報知装置本体１６とから成る。ヘルメット１５は、ヘルメット本体１５ａと、このヘルメット本体１５に取り付けられた締め付けバンド１５ｂとを有している。図３では、ヘルメット１５と報知装置本体１６との装着の位置関係と共に、締め付けバンド１５ｂの締め具を省略して簡略的に示している。
【００１６】
一方、図４は報知装置本体１６の外観構成を概略的に示している。この図４で示すように、報知装置本体１６は、ヘルメット本体１５ａの外周壁の締め付けバンド１５ｂに臨む部位に接着層を介して固定される小ケース１６ａと、この小ケース１６ａから出された所要長さの接続線１６ｂと、この接続線１６ｂと電気的に接続しかつ締め付けバンド１５ｂの外面に長さ方向に沿って一体的に固定された可撓性の紐状部材１６ｃとを有している。
【００１７】
図１及び図２は、報知装置本体１６の内部構成を示す各ブロック図である。図１で示すように、報知装置本体１６は、無線信号を受信する無線機能部２０と、締め付けバンド１５ｂをしたか否かの信号を検出する検出部２１と、この検出部２１からの検出信号ａと前記無線機能部２０で受信した受信信号ｂとを前記締め付けバンド１５ｂの締め忘れの判定材料とする判定手段２２と、この判定手段２２が締め忘れと判定した時に報知信号ｃを出力する単数または複数の報知手段２３とから成り、前記検出部２１は、本実施例では、帯紐自体或いは帯紐に一体的に設けられた紐状部材１６ｃの形態変化を検出する信号検出センサーであり、例えば電気抵抗や静電容量の変化を検出する。
【００１８】
しかして、前記無線機能部２０は、受信機能と送信機能を有し、前者の受信機能はキー使用状態送信装置Ａ側からの無線信号を受信し、一方、後者の送信機能は、判定手段２２が締め忘れと判定した時に、管理機器Ｃに対して、識別コードを含む無線信号を送信する。
【００１９】
ここで、無線機能部２０の受信機能について付言すると、受信機能（受信回路）は、前記無線信号がヘルメット、バンド、人等に関する識別コードを含むことから、図示しないコード解読回路によって復調信号を解読した上で、判定手段２２に解読信号を与える。
判定手段２２は、図２で示すように電流に関する基準値情報、解読信号に関する特定情報等を格納した記憶部２４にアクセスし、かつ、該記憶部２４の情報に基づいて検出部２１側からの検出信号ａと無線機能部２０側からの受信信号ｂを締め付けバンド１５ｂの締め忘れの判定材料とする。
【００２０】
したがって、本実施例の判定手段２２は、予め設定された電流に関する基準値と紐状部材１６ｃ或いはヘメルットの帯紐１５ｂの形態変化によって発生する電気抵抗、静電容量、磁性等の変化値とを比較すると共に、予め設定された特定情報と無線機能部２０が解読した解読信号とを比較する比較回路である。
【００２１】
そして、判定回路２２は、所定の条件が満たされたときには、発振回路または／および点滅回路２５に出力信号を出す。本実施例の報知手段２３は、視覚に訴える第１報知手段２３ａと、聴覚に訴える第２報知手段２３ｂとを含むことから、点滅回路２５は前記第１報知手段２３ａに電流を流し、一方、発振回路２５は、例えば可変周波数を前記第２報知手段２３ｂに流す。第１報知手段２３ａは、例えば点滅を繰り返し、また、第２報知手段２３ｂは可変周波数を、電圧ブザー等を介して音にする。なお、第２報知手段２３ｂはメッセージでも良い。また、本実施例では加味的要件であるが、判定手段２２と報知手段２３との間に信号を停止させ得る停止手段２６が設けられている。また、２７は内蔵電源である。
【００２２】
（４）フローチャート
図６を参照にして、第１実施例のフローチャートを説明する。スタートは、例えば二輪車を運転しようとする人Ｐが、図３で示すようにヘルメット１５を被ったことを意味する。このスタート段階では、まだ、図５で示すようにバンド１５ｂを締めていなものとする。Ｓｔｅｐ１は、キー１をイグニッションキーシリンダー３の鍵穴に少なくとも挿入または回転した段階である。
【００２３】
Ｓｔｅｐ２は、検出手段１０がイグニッションキーシリンダー３の磁気を感応し、送信装置本体２が稼働して無線信号を送信したことを意味する。
【００２４】
一方、図３で示すようにヘルメット１５を被った場合に於いて、人Ｐがバンド１５を締める場合（Ｙ）と締めない場合（Ｎ）がある。バンド１５を締める場合には紐状部材１６ｃはヘルメットのバンド１５ｂを介して形態が変化する。一方、バンド１５を締めない場合には、図３で示すように紐状部材１６ｃの形態は変化しない。
【００２５】
Ｓｔｅｐ３では、判定手段２２が電流に関する基準値と紐状部材１６ｃ形態変化によって発生する電気抵抗（本実施例）の変化値とを比較すると共に、予め設定された特定情報と無線機能部２０が解読した解読信号とを比較する。
【００２６】
Ｓｔｅｐ４は、判定手段２２が、所定の条件が満たされたと判定する場合（Ｙ）と、所定の条件が満たされないと判定する場合（Ｎ）である。ここで「所定の条件が満たされない」とは、人Ｐがバンドの締め忘れをしている場合を意味する。もちろん、故意にバンドの締めない場合も含む。
【００２７】
しかして、判定手段２２は、所定の条件が満たされないと判定した場合には報知手段２３を起動させ（Ｓｔｅｐ５）、一方、所定の条件が満たされたと判定した場合には、報知手段２３を停止させる（Ｓｔｅｐ６）。
【実施例】
【００２８】
発明の実施の形態で示した第１実施例に於いて、報知装置本体１６の検出部２１は、ヘルメット本体のバンド１５ｂと別体に形成されているが、実施例によっては、前記バンド自体（帯紐自体）１５ｂを電気抵抗、電容量、磁性等の値や存在を検出する信号検出センサーにしても良い。
【００２９】
また、キー１は車（例えば二輪車や自動車）のイグニッションキーシリンダー用である旨を説明したが、これに限定するものではなく、自転車用の錠前でも良く、さらには、保安用ヘルメットを用いる環境、例えば工事現場に関する場所に設置された多数のキーシリンダー用であっても良い。後者の場合には、図７（第２実施例）で示すように、識別標識で区別された多数のキーシリンダー３Ａを備えたキーシリンダー筐体３０が工事現場に関する場所（例えば作業員用建物）Ｈに存在し、かつ、該キーシリンダー筐体３０のプリント基板３１に制御装置を有する管理機器Ｃが電気的に接続していることから、管理場所Ｆの管理者は、誰が保安用ヘルメットのバンドをしていないかを直ちに知ることができる。
【００３０】
付言すると、報知装置本体１６の無線機能部２０は、判定手段２２が締め忘れと判定した時に、管理機器Ｃに対して、識別コードを含む無線信号を送信する機能を有していることから、安全管理に従事している人は、本発明のバンドの締め忘れの防止装置Ｘを活用し、例えばバンドを締めない作業員に対して、バンドを締めるように促すことができる。
【００３１】
さらに、第１実施例及び第２実施例に於いて、送信装置本体２はキー１の摘み部分１ｂに固定されている旨を説明したが、図８（第３実施例）で示すように、キー１Ｂにではなく、前記送信装置本体２をキーシリンダー３Ｂに固定しても良い。この第３実施例の場合には、キー１Ｂのブレード部分１ｂの先端部に凹所４を適宜に形成し、該凹所４に磁性体（磁石）を単数又は複数個固定し、一方、キーシリンダー３Ｂの下面に送信装置本体２を固定している。
【００３２】
もちろん、磁性体（磁石）の取付け位置や固定態様は限定するものではないが、例えばキー１Ｂのブレード部分１ｂをキーシリンダー３Ｂの内筒３ａを介して送信装置本体２の中央部の嵌合孔（図示しない）に挿入すると送信可能な状態になる。この実施例では、キー１Ｂの回転位置で「ＯＮ／ＯＦＦ」する。このように、送信装置本体２の設置箇所は、任意に設計変更することができる。
【産業上の利用可能性】
【００３３】
本発明は、錠前業界のみならず、保安用ヘルメットを扱う自動車用品業界や工事現場を請け負う土木・建築業界で利用される。
【図面の簡単な説明】
【００３４】
図１乃至図６は本発明の最良の実施例を示す各説明図。
【図１】本発明の構成を示すブロック図。
【図２】報知装置本体の判定手段を中心とするブロック図。
【図３】バンドを締めていない状態を示す概略説明図。
【図４】報知装置本体の外観構成を示す概略説明図。
【図５】バンドを締めている状態を示す概略説明図。
【図６】主要部のフローチャート。
【図７】本発明の第２実施例を示す概略説明図。
【図８】本発明の第３実施例を示す図１と同様のブロック図。
【符号の説明】
【００３５】
Ｘ…バンドの締め忘れの防止装置、Ａ…キー使用状態送信装置、Ｂ…バンドの使用状態装置、Ｃ…管理機器、Ｆ…管理場所、Ｈ…工事現場に関する場所、1，１Ｂ…キー、１ａ…摘み部分、２…送信装置本体、３，３Ａ，３Ｂ…キーシリンダー、３ｂ…外筒、４…凹所、５…磁性体、１０…検出手段、１１…コントローラ、１２…送信機能部、１３…電源、１５…保安用ヘルメット、１５ａ…ヘルメット本体、１５ｂ…バンド、１６…報知装置本体、１６ａ…小ケース、１６ｂ…接続線、１６ｃ…紐状部材、２０…無線機能部、２１…検出部、ａ…検出信号、ｂ…受信信号、２２…判定手段、２３…報知手段、２３ａ…第１報知手段、２３ｂ…第２報知手段、２４…記憶部、２５…発振回路または／および点滅回路、２６…停止手段、２７…内蔵電源、３０…キーシリンダー筐体、３１…プリント基板。
【図１】
2008038279.tif 000003
【図２】
2008038279.tif 000004
【図３】
2008038279.tif 000005
【図４】
2008038279.tif 000006
【図５】
2008038279.tif 000007
【図６】
2008038279.tif 000008
【図７】
2008038279.tif 000009
【図８】
2008038279.tif 000010